(57)【要約】【課題】本発明は、適度なフィット感を備え、頭髪等の異物の落下を抑えながら長い間の着用にも作業者に頭が痛くなる等の不快感を与えることがないことに加え、洗濯耐久性も良好であり、良好なフィット感を長期間維持することができる作業用キャップ及びネット付きヘアーバンドの提供を目的とする。【解決手段】前記の目的を達成するために、本発明の第１発明では、キャップ本体の開口部に配設されるベルトとして、適度な伸縮性を備えたニット構造の布地を採用することにより解決する。本発明の第２発明では、作業用キャップの代わりに、頭部を挿入する開口部を備えたネットと、前記開口部に配設されるヘアーバンドを備える構成のネット付きヘアーバンドを用い、当該ヘアーバンドとして、適度な伸縮性を備えたニット構造の布地を採用することにより解決する。【選択図】図１
2007009382.tif 000002
【特許請求の範囲】
【請求項１】
頭部を挿入する開口部を備えたキャップ本体と、前記開口部に配設され、伸縮により当該開口部の径寸法を調整可能なベルトを備える作業用キャップであって、前記ベルトは地の目の横方向を長手方向とするニット構造の布地からなることを特徴とする作業用キャップ。
【請求項２】
前記ベルトは、前記キャップ本体の腰に近い側より遠い側が窄まるような折込みを少なくとも１つ設けることを特徴とする請求項１に記載の作業用キャップ。
【請求項３】
前記折込みは、前記ベルトの外面側に配設されることを特徴とする請求項２に記載の作業用キャップ。
【請求項４】
前記ベルトは、前記キャップ本体の腰に近い側より遠い側が窄まるように接合された接合部を少なくとも１つ設けることを特徴とする請求項１から３のいずれかに記載の作業用キャップ。
【請求項５】
前記ベルトが分断され、当該ベルトの端部同士が着脱可能な面テープで接合されていることを特徴とする請求項１から４のいずれかに記載の作業用キャップ。
【請求項６】
頭部を挿入する開口部を備えたネットと、前記開口部に配設されるヘアーバンドを備えるネット付きヘアーバンドであって、前記ヘアーバンドは地の目の横方向を長手方向とするニット構造の布地からなることを特徴とするネット付きへアーバンド。
【請求項７】
前記ヘアーバンドが、前記ネットの腰に近い側より遠い側が窄まるような折込みを少なくとも１つ設けることを特徴とする請求項６に記載のネット付きへアーバンド。
【請求項８】
前記折込みは、前記ヘアーバンドの外面側に配設されることを特徴とする請求項７に記載のネット付きへアーバンド。
【請求項９】
前記ヘアーバンドが、前記ネットの腰に近い側より遠い側が窄まるように接合された接合部を少なくとも1つ設けることを特徴とする請求項６から８のいずれかに記載のネット付きへアーバンド。
【請求項１０】
前記ヘアーバンドが分断され、当該ヘアーバンドの端部同士が着脱可能な面テープで接合されていることを特徴とする請求項６から９のいずれかに記載のネット付きへアーバンド。
【発明の詳細な説明】
【技術分野】
【０００１】
本発明は、作業用キャップ及びネット付きへアーバンドに関する。特に、半導体製造作業や食品製造作業等に使用され、頭髪等の異物が製品に混入することを防止する作業用キャップ及びネット付きへアーバンドに関する。
【背景技術】
【０００２】
近年、クリーンルームにおける半導体製造作業や、医薬品製造作業、または食品製造作業といった清潔さが最優先される作業にあっては、頭髪あるいは当該頭髪からの発塵等の異物が製品に混入するのを確実に防止するため、頭部を完全に覆うための作業用キャップの着用を義務づけるのが一般的である。かかる作業用キャップは、長時間の作業であっても違和感なく着用できるとともに、作業中における汗を吸収し、また、頭部がむれることがないように軽量性及び通気性に優れた繊維材料で構成されていた。そして、この作業用キャップは、頭部を挿入する開口部で締め付けることにより頭部とキャップとの隙間をなくすようにして頭髪等の異物の落下を防止するとともに、頭髪を押さえることによりフィット性を高めるようにしていた（例えば、特許文献１参照。）。
【０００３】
図１２は、従来の作業用キャップ９の構成を示した概略図である、図１２に示す作業用キャップ９は、頭部９３（図１３参照）を覆うためのキャップ本体９１における当該頭部９３を挿入する開口部９１１に、弾性ゴムを編み込んだベルト、あるいはゴム自体からなるベルト（以下、総称して「ゴムベルト９２」とする。）を周状に設けた構成を採用している。また、図１３は、図１２に示す作業用キャップ９を頭部９３に装着して着用した状態を示した概略図であり、キャップ本体９１の開口部９１１に頭部９３を装着するとともに、当該開口部９１１に配設されたゴムベルト９２がその弾力により頭部９３を締め付け、これによって、作業用キャップ９が頭部９３にフィットした状態で装着されることになる。
【特許文献１】特開平５−１５６５０３号公報
【発明の開示】
【発明が解決しようとする課題】
【０００４】
従来の作業帽は、このようにゴムベルトの弾力による締め付けにより頭部にフィットした状態で装着されるので、頭髪等の異物がキャップの外に落下することを防止することはできるものの、締め付けが強いために長時間使用していると頭が痛くなってしまうという問題点があった。一方、これを防止するため締め付けの弱いゴムベルトを採用した場合にあっては、フィット感が損なわれるとともに、ゴムベルトの洗濯耐久性が悪く、数回（１〜２回）の洗濯でゴムベルトが劣化してしまうため、頭部に対するフィット感が更に悪くなってしまい、好ましいものではなかった。
【０００５】
そこで、本発明は、適度なフィット感を備え、頭髪等の異物の落下を抑えながら長い間の着用にも作業者に頭が痛くなる等の不快感を与えることがないことに加え、洗濯耐久性も良好であり、良好なフィット感を長期間維持することができる作業用キャップ及びネット付きヘアーバンドの提供を目的とする。
【課題を解決するための手段】
【０００６】
前記の目的を達成するために、本発明の第１発明では、キャップ本体の開口部に配設されるベルトとして、適度な伸縮性を備えたニット構造の布地を採用することにより解決する。
【０００７】
具体的には、本発明の第１発明の作業用キャップは、頭部を挿入する開口部を備えたキャップ本体と、前記開口部に配設され、伸縮により当該開口部の径寸法を調整可能なベルトを備える作業用キャップであって、前記ベルトは地の目の横方向を長手方向とするニット構造の布地からなることを特徴とする。
【０００８】
この第１発明の作業用キャップは、キャップ本体の開口部に伸縮により当該開口部の径寸法を調整可能なベルトを備え、このベルトが地の目の横方向を長手方向とするニット構造の布地からなるので、周方向に適度に伸縮性を備え、頭部に装着した場合には適度なフィット感を維持しているので、頭髪等の異物の落下を抑えながら、長い間着用しても不快感を与えることがない。また、ニット構造は洗濯における耐久性も良好であるため、数回の洗濯でベルトが劣化することもなく、良好なフィット感を長い期間維持することができる。
【０００９】
本発明の作業用キャップは、前記ベルトは、前記キャップ本体の腰に近い側より遠い側が窄まるような折込みを少なくとも１つ設けることが好ましい。
【００１０】
ベルトにおけるキャップ本体の腰に近い側より遠い側が窄まるような折込みを設けることにより、ベルトのキャップ本体の腰に近い側より遠い側の径が小さくなるため、フィット感が更に向上し、着用時の不快感がなく、また、頭髪等の異物の落下を確実に防止することができる。
【００１１】
本発明の作業用キャップは、前記折込みは、前記ベルトの外面側に配設されることが好ましい。ベルトに形成される折込みがベルトの外面側、すなわち作業用キャップにおける頭部が装着される側と反対側の面に配設されることにより、頭部に装着した際にこの折込みが頭部と接することもなくなり、異物感もなく良好な装着性が維持されることになる。
【００１２】
本発明の作業用キャップは、前記ベルトは、前記キャップ本体の腰に近い側より遠い側が窄まるように接合された接合部を少なくとも1つ設けることが好ましい。
【００１３】
ベルトにおけるキャップ本体の腰に近い側より遠い側が窄まるように接合された接合部を設けることにより、前記した折込みを配設すると同様に、ベルトのキャップ本体の腰に近い側より遠い側の径が小さくなるため、フィット感が更に向上し、使用中の不快感を低減することができ、また、頭髪等の異物の落下を確実に防止することができる。
【００１４】
本発明の作業用キャップは、前記ベルトが分断され、当該ベルトの端部同士が着脱可能な面テープで接合されていることが好ましい。
【００１５】
ベルトを分断し、ベルトの端部に面テープを設けて当該端部同士を着脱可能とすることにより、ベルトの長さの微調整をすることができ、その結果、フィット感をより一層向上させることができる。
【００１６】
次に、前記の目的を達成するために、本発明の第２発明では、作業用キャップの代わりに、頭部を挿入する開口部を備えたネットと、前記開口部に配設されるヘアーバンドを備える構成のネット付きヘアーバンドを用い、当該ヘアーバンドとして、適度な伸縮性を備えたニット構造の布地を採用することにより解決する。
【００１７】
具体的には、本発明の第２発明のネット付きへアーバンドは、頭部を挿入する開口部を備えたネットと、前記開口部に配設されるヘアーバンドを備えるネット付きヘアーバンドであって、前記ヘアーバンドは地の目の横方向を長手方向とするニット構造の布地からなることを特徴とする。
【００１８】
この第２発明のネット付きヘアーバンドは、ネットの開口部に配設されるヘアーバンドとして、前記した第１発明のベルトと同じニット構造の布地を採用するので、第１発明と同様、ヘアーバンドは周方向に適度に伸縮性を備え、頭部に装着した場合には適度なフィット感を維持していることになる。したがって、頭髪等の異物の落下を抑えながら、長い間着用しても不快感を与えることがない。また、洗濯における耐久性も良好であり、数回の洗濯でベルトが劣化することもなく、良好なフィット感を長い期間維持することができる。
【００１９】
本発明のネット付きヘアーバンドは、前記ヘアーバンドが、前記ネットの腰に近い側より遠い側が窄まるような折込みを少なくとも１つ設けることが好ましい。ヘアーバンドにおけるネットの腰に近い側より遠い側が窄まるような折込みを設けることにより、前記した第１発明と同様、ヘアーバンドのネットの腰に近い側より遠い側の径が小さくなるため、フィット感が更に向上し、着用時の不快感がなく、また、頭髪等の異物の落下を確実に防止することができる。
【００２０】
本発明のネット付きヘアーバンドは、前記折込みは、前記ヘアーバンドの外面側に配設されることが好ましい。折込みがヘアーバンドの外面側に配設されることにより、第１発明と同様、頭部に装着した際にこの折込みが頭部と接することもなくなり、異物感もなく良好な装着性が維持されることになる。
【００２１】
本発明のネット付きヘアーバンドは、前記ヘアーバンドが、前記ネットの腰に近い側より遠い側が窄まるように接合された接合部を少なくとも1つ設けることが好ましい。
【００２２】
ヘアーバンドにかかる接合部を設けることにより、前記した折込みを配設すると同様に、ヘアーバンドにおけるネットの腰に近い側より遠い側の径が小さくなるため、フィット感が更に向上し、使用中の不快感を低減することができ、また、頭髪等の異物の落下を確実に防止することができる。
【００２３】
本発明のネット付きヘアーバンドは、前記ヘアーバンドが分断され、当該ヘアーバンドの端部同士が着脱可能な面テープで接合されていることが好ましい。
【００２４】
ヘアーバンドを分断し、当該ヘアーバンドの端部に面テープを設けて当該端部同士を着脱可能とすることにより、第１発明のベルトと同様、ヘアーバンドの長さの微調整をすることができ、その結果、フィット感をより一層向上させることができる。
【発明の効果】
【００２５】
本発明の第１発明によれば、頭部を挿入する開口部を備えたキャップ本体と、伸縮により径寸法を調整可能なベルトをかかる開口部に備える作業用キャップであって、当該ベルトが地の目の横方向を長手方向とするニット構造の布地からなるので、周方向に対して適度に伸縮性を備え、頭部に装着した場合には適度なフィット感を維持して、頭髪等の異物の落下を抑えつつ、長い間の使用でも不快感を与えることがない。かつ、ニット構造は洗濯における耐久性も良好であるため、数回の洗濯でベルトが劣化することもなく、良好なフィット感を長い期間維持することができる作業用キャップを提供することができる。
【００２６】
また、本発明の第２発明も、頭部を挿入する開口部を備えたネットと、前記開口部に配設されるヘアーバンドを備えるネット付きヘアーバンドであって、前記ヘアーバンドとして前記ベルトと同じニット構造の布地を採用するので、第１発明と略同一の作用効果を奏するネット付きヘアーバンドを提供することができる。
【発明を実施するための最良の形態】
【００２７】
以下、本発明の第1発明に関する実施形態の一態様を図面に基づいて説明する。
（第１実施形態）
以下、図面を用いて、本発明の第１発明の第１実施形態を説明する。
図１は、本発明の作業用キャップを示した概略図、図２はベルトのニット構造の模式図、図３は図１の作業用キャップを頭部に装着して使用した状態を示した概略図である。図１及び図３中、１は作業用キャップ、１１はキャップ本体、１１１はキャップ本体１１の開口部、１１２はキャップ本体１１の腰、１２はベルト、２０は頭部、をそれぞれ示す。
【００２８】
キャップ本体１１の形状は、頭部２０（図３参照）に装着される際に当該頭部２０の頭髪を覆うことができるものであれば特に制限はなく、従来公知の各種形状を適宜選定することができる。また、キャップ本体１１に対して、ひさしやつば（鍔）、あるいはフードを設けるようにしてもよい。
【００２９】
キャップ本体１１の開口部１１１に配設されるベルト１２は、作業用キャップ１を頭部２０に装着する際に、径寸法を調整可能なように伸縮させることができ、本実施形態にあっては、地の目の横方向を長手方向とする横編みのニット構造の布地から構成されている。図２は、ベルト１２のニット構造の模式図であり、本発明にあっては、図２の矢印方向を長手方向（キャップ本体１１の開口部１１１における周方向）になるようにして形成された布地によりベルト１２を構成するようにすればよい。このようなニット構造は、当該長手方向に対する伸縮性が良好であるため、作業用キャップ１の開口部１１１に配設した場合にあっては、開口部１１１の周方向に適度に伸縮性を備えることになる。よって、作業用キャップ１を頭部２０に装着した場合には適度なフィット感を維持し、長い間使用しても不快感を与えることがない。加えて、ニット構造は洗濯における耐久性も良好であるため、数回の洗濯でベルトが劣化することもなく、作業用キャップ１に良好なフィット感を長い期間付与することができる。ここで、横編みの組織としては、特に制限はなく、例えば、図２に示す平編みのほか、リブ編み、ゴム編み、パール編み等の従来公知の組織を採用することができる。なお、ベルト１２の幅ｗ１は、作業用キャップ１のサイズにより適宜決定すればよいが、おおむね２〜８ｃｍ程度とすればよい。
【００３０】
かかるニット構造からなる布地を構成する繊維としては、通気性がよく、汗等の水分の吸収性が良好で、軽量な繊維により形成されることが好ましく、例えば、綿、レーヨン等の親水性繊維を用いてもよく、また、エバール（登録商標：エチレン・ビニルアルコール共重合体）を原料として、親水基を備えた合成繊維を使用するようにしてもよい。
【００３１】
同様に、作業用キャップ１を構成するキャップ本体１１も、通気性がよく、汗等の水分の吸収性が良好で、軽量な繊維により形成されることが好ましく、前記したニット構造からなる布地を構成する繊維と同様な繊維を適用することができ、かかる繊維からなる織物や編物を使用することができる。また、通気孔を形成した紙、不繊布を使用してもよい。
【００３２】
また、作業用キャップ１の通気性を良好とし、かつ軽量とするためには、キャップ本体１１を構成する繊維の直径は、２〜２００μｍ程度であればよく、同様に、キャップ本体１の目付量は、１０〜１００ｇ／ｍ２程度とすればよい。
【００３３】
また、ベルト１２には、キャップ本体１１の腰１１２に近い側より遠い側が窄まる折込み１３が形成されることが好ましい。図４は、図１の作業用キャップ１を構成するベルト１２に折込み１３を形成した状態を示す概略図であり、図５は、図４の部分拡大図であって、当該折込み１３を示す図である。この折込み１３は、本実施形態にあっては、ベルト１２を折り込むことにより形成される３つの折込み面１３１，１３２，１３３が重なりあって固着されることによりなり、図４及び図５に示すような折込み１３をベルト１２に形成することにより、ベルト１２におけるキャップ本体１１の腰１１２に近い側より遠い側の径が小さくなるため、フィット感が更に向上し、使用中の不快感を低減することができるとともに、頭髪等の異物の落下を防止することができる。
【００３４】
折込み１３にあっては、図５に示す折込み幅ｗ２を２〜４０ｍｍ程度とすればよく、また、折込み角度θを３〜４５°程度とすればよい。折込み１３の折込み幅ｗ２及び折込み角度θをかかる範囲とすることにより、バランスがとれ、頭部２０に対するフィット感をより確実に向上させることができる。
【００３５】
また、ベルト１２に形成される折込み１３は、図４に示すように、ベルト１２の外面側（作業用キャップ１における頭部２０が装着される側と反対側の面のこと。以下同じ。）に配設することが好ましい。このように折込み１３をベルト１２の外面側に設けることにより、頭部２０に装着した際に折込み１３が頭部２０と接することもなくなり、異物感もなく良好な装着性が維持されることになる。
【００３６】
なお、図４では、折込み１３をベルトに対して２つ形成した態様を示しているが、折込み１３を形成する場合にあっては、折込みの数を１つとしてもよく、また、３つ以上形成させるようにしてもよい。効果を効率よく発揮させるためには、折込み１３を１〜４つ形成することが特に好ましい。
【００３７】
更には、本実施形態の作業用キャップ１にあっては、ベルト１２が分断されており、この分断されたベルト１２の端部１２１同士が着脱可能な面テープ１４で接合されているようにしてもよい。このような面テープ１４としては、例えばマジックテープ（登録商標）等を適用することができる。
【００３８】
図６は、図１の作業用キャップ１を構成するベルト１２の端部１２１に面テープ１４を配設し、端部１２１同士が接合された状態を示す概略図であり、図７は、図６の部分拡大図であって、当該面テープ１４を示す概略図である。図６及び図７に示すように、ベルト１２を分断するとともに、ベルト１２の端部１２１に面テープ１４を設けて当該端部１２１同士を着脱可能とすることにより、ベルト１２の長さの微調整が可能となり、フィット感をより一層向上させることができる。
【００３９】
そして、本実施形態の作業用キャップ１を着用するにあたっては、図３に示すように、開口部１１１から頭部２０を挿入して装着するようにすればよく、キャップ本体１１の開口部１１１に配設されたベルト１２が頭部２０を適度に締め付けるようにして不快感なく装着され、頭部２０の頭髪はキャップ本体１１に覆われるとともに、頭髪や当該頭髪に付着した異物が作業用キャップ１の外部に出るのを防止することができる。
【００４０】
前記した構成の本実施形態の作業用キャップ１によれば、キャップ本体１１の開口部１１１に配設されるベルト１２が地の目の横方向を長手方向とするニット構造の布地からなるので、周方向に程度に伸縮性を備え、頭部２０に装着した場合には適度なフィット感を維持して長い間の使用でも不快感を与えることがなく、また、洗濯耐久性も良好であるため、数回の洗濯でベルトが劣化することもなく、良好なフィット感を長い期間維持することができる。
【００４１】
（第２実施形態）
以下、図面を用いて、本発明の第１発明の第２実施形態を説明する。
前記した第１実施形態にあっては、図４及び図５に示すように、作業用キャップ１を構成するベルト１２に対して、キャップ本体１１の腰１１２に近い側より遠い側が窄まる折込み１３が形成されている態様を示した。これに対して、本実施形態の作業用キャップ１ａは、図８及び図９に示すように、ベルト１２に対して、キャップ本体１１の腰１１２に近い側より遠い側が窄まるように接合された接合部１５が形成されている。
【００４２】
なお、以下の説明では、既に第１実施形態で説明した部分と同一または略同一である部分については、同一の符号を付して説明を省略する。
【００４３】
図８は、第２実施形態に係る作業用キャップ１ａを示した概略図であり、また、図９は、図８の部分拡大図であり、ベルトに形成された接合部１５を示す図である。
【００４４】
接合部１５は、ベルト１２の端部からなる２つの接合面１５１，１５２を重ね合わせて固着接合することにより形成される。このような接合部１５をベルト１２に形成することにより、前記した第１実施形態で示した折込み１３を形成すると同様に、ベルト１２におけるキャップ本体１１の腰１１２に近い側より遠い側の径が小さくなるため、フィット感が更に向上し、使用中の不快感を低減することができるとともに、頭髪等の異物の落下を防止することができる。加えて、第1実施形態における、３つの折込み面１３１，１３２，１３３を重ね合わせてなる折込み１３と比較して、重ね合わせる面が接合面１５１，１５２の２つであるため、頭部２０に対する異物感が低減される。
【００４５】
（その他の実施形態）
なお、以上説明した態様は、本発明の一態様を示したものであって、本発明は、前記した実施形態に限定されるものではなく、本発明の構成を備え、目的及び効果を達成できる範囲内での変形や改良が、本発明の内容に含まれるものであることはいうまでもない。また、本発明を実施する際における具体的な構造及び形状等は、本発明の目的及び効果を達成できる範囲内において、他の構造や形状等としても問題はない。
【００４６】
例えば、前記した実施形態では、本発明の第１発明の作業用キャップ１，１ａについて説明したが、図１０に示す構成の、本発明の第２発明のネット付きへアーバンド２も当該作業キャップ１，１ａと略同様の作用効果を奏することができる。
【００４７】
なお、以下の説明では、既に前記した実施形態で説明した部分と同一または略同一である部分については、同一の符号を付して説明を省略する。
【００４８】
図１０は、本発明の第２発明に係るネット付きヘアーバンド２の一態様を示す概略図であり、図１１は、図１０のネット付きへアーバンド２を頭部２０に装着した状態を示す概略図である。図１０及び図１１中、２はネット付きヘアーバンド、２１はネット、２２はヘアーバンド、をそれぞれ示す。
【００４９】
図１０に示すネット付きヘアーバンド２を構成するネット２１は、頭部２０を挿入する開口部２１１を備え、ヘアーバンド２２は、この開口部２１１に配設される。そして、頭部２０に着用する場合にあっては、図１１に示すように、ヘアーバンド２２の開口部２２１から頭部２０を挿入して、ネット２１で頭部２０の頭髪を覆うようにして装着すればよい。このように、第２発明のネット付きヘアーバンド２におけるネット２１は第１発明のキャップ本体１１に、また、ヘアーバンド２２は第１発明のベルト１２に、それぞれ略相当するものである。
【００５０】
ヘアーバンド２２は、第１発明のベルト１２（図１等参照）と同様、地の目の横方向を長手方向とするニット構造の布地から構成される。したがって、ネット付きヘアーバンド２は、開口部２２１の周方向に適度に伸縮性を備えることになり、頭部２０に装着した場合には適度なフィット感を維持して、長い間使用しても不快感を与えることがなく、また、ニット構造の良好な洗濯耐久性により、数回の洗濯でベルトが劣化することもなく、良好なフィット感を長い期間付与することができるという第１発明の作業用キャップ１，１ａと略同様の作用効果を奏することを可能とする。
【００５１】
なお、ヘアーバンド２２の幅ｗ３は、第１発明におけるベルト１２（図１参照）と比較して幅広となり、おおむね２〜１０ｃｍとすればよい。ヘアーバンド２２の幅ｗ３をかかる範囲とすれば、頭部２０に対してネット付きヘアーバンド２が安定して装着されることになる。
【００５２】
その他、第１実施形態の作業用キャップ１における図４及び図５に示す構成と同様に、ヘアーバンド２２に、ネットの腰２１２（図１０参照）に近い側より遠い側が窄まるような折込み１３を設けたり、第２実施形態の作業用キャップ１ａにおける図８及び図９に示す構成と同様に、ヘアーバンド２２に、ネットの腰２１２に近い側より遠い側が窄まるように接合された接合部１５を設けるようにすれば、ヘアーバンド２２におけるネットの腰２１２に近い側より遠い側の径が小さくなるため、フィット感が更に向上し、使用中の不快感を低減することができ、また、頭髪等の異物の落下をよりいっそう防止することができる。なお、かかる折込み１３（図４及び図５参照。以下同じ。）はヘアーバンド２２の外面側に設けるようにすれば、ネット付きヘアーバンド２を頭部２０に装着した際に折込み１３が頭部２０と接することもなくなり、異物感もなく良好な装着性が維持される。
【００５３】
さらには、第１実施形態の作業用キャップ１における図６及び図７に示す構成のように、ヘアーバンド２２を分断し、ヘアーバンド２２の端部同士が着脱可能な面テープ１４で接合されているようにすれば、ヘアーバンド２２の長さの微調整をすることができ、その結果、ネット付きヘアーバンド２のフィット感をより一層向上させることができることとなる。
【００５４】
その他、本発明の実施における具体的な構造及び形状等は、本発明の目的を達成できる範囲で他の構造等としてもよい。
【産業上の利用可能性】
【００５５】
本発明は、例えば、半導体、食品、医薬品等の製造作業時における作業用キャップ及びネット付きヘアーバンドとして有利に使用することができる。
【図面の簡単な説明】
【００５６】
【図１】第１実施形態に係る作業用キャップを示す概略図である。
【図２】ベルトのニット構造を示す模式図である。
【図３】図１の作業用キャップを頭部に装着した状態を示す概略図である。
【図４】図１の作業用キャップにおいて、ベルトに折込みを形成した状態を示す概略図である。
【図５】ベルトに形成された折込みを示す部分拡大図である。
【図６】図１の作業用キャップにおいて、ベルトに面テープを形成した状態を示す概略図である。
【図７】ベルトに形成された面テープを示す部分拡大図である。
【図８】第２実施形態に係る作業用キャップを示した概略図である。
【図９】ベルトに形成された接合部を示す部分拡大図である。
【図１０】ネット付きヘアーバンドの一態様を示す概略図である。
【図１１】図１０のネット付きへアーバンドを頭部に装着した状態を示す概略図である。
【図１２】従来の作業用キャップを示す概略図である。
【図１３】図１２に示す作業用キャップを頭部に装着した状態を示す概略図である。
【符号の説明】
【００５７】
１、１ａ、９  作業用キャップ
２  ネット付きヘアーバンド
１１、９１  キャップ本体
１１１、９１１  キャップ本体の開口部
１１２  キャップ本体の腰
１２  ベルト
１２１  ベルトの端部
１３  折込み
１３１，１３２，１３３  折込み面
１４  面テープ
１５  接合部
１５１，１５２  接合面
２０、９３  頭部
２１  ネット
２１１  ネットの開口部
２１２  ネットの腰
２２  ヘアーバンド
２２１  ヘアーバンドの開口部
９２  ゴムベルト
ｗ１  ベルトの幅
ｗ２  折込み幅
ｗ３  ヘアーバンドの幅
θ  折込み角度
【図１】
2007009382.tif 000003
【図２】
2007009382.tif 000004
【図３】
2007009382.tif 000005
【図４】
2007009382.tif 000006
【図５】
2007009382.tif 000007
【図６】
2007009382.tif 000008
【図７】
2007009382.tif 000009
【図８】
2007009382.tif 000010
【図９】
2007009382.tif 000011
【図１０】
2007009382.tif 000012
【図１１】
2007009382.tif 000013
【図１２】
2007009382.tif 000014
【図１３】
2007009382.tif 000015